【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
光学系の瞳を通過する１組の光線によって占められたボリュームを表すデータを生成するためのコンピュータ実装方法であって、前記ボリュームが、ピクセルビームと呼ばれている前記１組の光線によって占められ、前記方法が、
第１の光学系の物体空間において前記ピクセルビームを表すデータを取得することであって、前記ピクセルビームが、前記第１の光学系の瞳と、前記第１の光学系の前記物体空間における前記第１の光学系と関連付けられたセンサの少なくとも１つのピクセルの像共役とを通過する１組の光線によって占められている、取得することと、
第２の光学系を通じる前記ピクセルビームの像共役を演算することによって前記ピクセルビームを表すデータを生成することと
を含む、方法。
【請求項２】
前記第１の光学系の前記物体空間における前記ピクセルビームと平面との交差面を得ることと、
前記ピクセルビームを表すデータを提供するために、前記第２の光学系を通じる前記交差面の像共役を得ることと
をさらに含む、請求項１に記載の方法。
【請求項３】
前記第１の光学系が実際のカメラであり、前記第２の光学系がバーチャルカメラである、請求項１または２に記載の方法。
【請求項４】
前記第１の光学系がバーチャルカメラであり、前記第２の光学系が実際のカメラである、請求項１または２に記載の方法。
【請求項５】
請求項１〜４のいずれか一項に記載の方法に従って得られたものを使用して光照射野データから像をレンダリングするためのデバイス。
【請求項６】
光学系の瞳を通過する１組の光線によって占められたボリュームを表すデータを生成するためのデバイスであって、前記ボリュームが、ピクセルビームと呼ばれている前記１組の光線によって占められ、前記デバイスが、
第１の光学系の物体空間において前記ピクセルビームを表すデータを取得することであって、前記ピクセルビームが、前記第１の光学系の瞳と、前記第１の光学系の前記物体空間における前記第１の光学系と関連付けられたセンサの少なくとも１つのピクセルの像共役とを通過する１組の光線によって占められている、取得することと、
第２の光学系を通じる前記ピクセルビームの像共役を演算することによって前記ピクセルビームを表すデータを生成することと
を行うように構成された光照射野データ生成モジュールを備える、デバイス。
【請求項７】
前記光照射野データ生成モジュールが、
前記第１の光学系の前記物体空間における前記ピクセルビームと平面との交差面を得ることと、
前記ピクセルビームを表すデータを提供するために、前記第２の光学系を通じる前記交差面の像共役を得ることと
を行うようにさらに構成される、請求項６に記載のデバイス。
【請求項８】
前記第１の光学系が実際のカメラであり、前記第２の光学系がバーチャルカメラである、請求項６に記載のデバイス。
【請求項９】
前記第１の光学系がバーチャルカメラであり、前記第２の光学系が実際のカメラである、請求項６に記載のデバイス。
【請求項１０】
規則的な格子構造で配列されたマイクロレンズのアレイと、
光センサであって、前記マイクロレンズのアレイから前記光センサに投影された光を捕捉するように構成され、数組のピクセルを含み、ピクセルの各組が、前記マイクロレンズのアレイのそれぞれのマイクロレンズと光学的に関連付けられている、光センサと、
請求項６によるメタデータを生成するためのデバイスと
を備える光照射野結像デバイス。
【請求項１１】
前記第１の光学系の瞳と、前記第１の光学系の前記物体空間における前記第１の光学系と関連付けられたセンサの少なくとも１つのピクセルの共役とを通過する１組の光線によって占められた第１の光学系の物体空間におけるボリュームを表すデータのためのデータパッケージであって、前記ボリュームが、ピクセルビームと呼ばれている前記１組の光線によって占められており、ピクセルビームを表す前記データが、第２の光学系を通じる前記ピクセルビームの像共役である、データパッケージ。
【請求項１２】
プログラム可能装置用のコンピュータプログラム製品であって、前記プログラム可能装置によってロードされ、実行された際に、請求項１〜４のいずれか一項に記載の方法を実装するための一連の命令を含む、コンピュータプログラム製品。
【手続補正２】
【補正対象書類名】明細書
【補正対象項目名】０１１０
【補正方法】変更
【補正の内容】
【０１１０】
多くのさらなる変更形態および変形形態は、前述の例示的な実施形態を参照する際にそれら自体を当業者に示唆し、前述の例示的な実施形態は、単なる例示として提供され、本発明の範囲を制限することを意図せず、本発明の範囲は、添付の請求項によってのみ決定される。特に、異なる実施形態からの異なる特徴は、適切な場合に、交換可能であり得る。
なお、上述の実施形態の一部又は全部は、以下の付記のように記載され得るが、以下には限定されない。
（付記１）
光学系の瞳孔を通過する１組の光線により占められるボリュームを表すデータを生成するコンピュータ実装方法であって、前記ボリュームが、ピクセルビームと呼ばれる前記１組の光線により占められ、前記方法が、
第１の光学系の物体空間において前記ピクセルビームを表すデータを取得することであって、前記ピクセルビームが、前記第１の光学系の瞳孔と、前記第１の光学系の前記物体空間における前記第１の光学系と関連付けられたセンサの少なくとも１つのピクセルの画像共役とを通過する１組の光線により占められている、取得することと、
第２の光学系を介して前記ピクセルビームの画像共役を演算することによって前記ピクセルビームを表すデータを生成することと
を含む、方法。
（付記２）
前記第１の光学系の前記物体空間における前記ピクセルビームと平面との交差面を演算することと、
前記ピクセルビームを表すデータを提供するために、前記第２の光学系を介して前記交差面の画像共役を演算することと
をさらに含む、付記１に記載の方法。
（付記３）
前記第１の光学系が実際のカメラであり、前記第２の光学系がバーチャルカメラである、付記１または２に記載の方法。
（付記４）
前記第１の光学系がバーチャルカメラであり、前記第２の光学系が実際のカメラである、付記１または２に記載の方法。
（付記５）
付記１〜４のいずれか一項に記載の方法に従って得られたものを使用してライトフィールドデータから画像をレンダリングするデバイス。
（付記６）
光学系の瞳孔を通過する１組の光線により占められるボリュームを表すデータを生成するデバイスであって、前記ボリュームが、ピクセルビームと呼ばれる前記１組の光線により占められ、前記デバイスが、
第１の光学系の物体空間において前記ピクセルビームを表すデータを取得することであって、前記ピクセルビームが、前記第１の光学系の瞳孔と、前記第１の光学系の前記物体空間における前記第１の光学系と関連付けられたセンサの少なくとも１つのピクセルの画像共役とを通過する１組の光線により占められている、取得することと、
第２の光学系を介して前記ピクセルビームの画像共役を演算することによって前記ピクセルビームを表すデータを生成することと
を行うように構成されたライトフィールドデータ生成モジュールを備える、デバイス。
（付記７）
規則的な格子構造で配列されたマイクロレンズのアレイと、
光センサであって、前記マイクロレンズのアレイから前記光センサに投影された光を捕捉するように構成され、ピクセルのセットを含み、ピクセルの各セットが、前記マイクロレンズのアレイのそれぞれのマイクロレンズと光学的に関連付けられている、光センサと、
付記８によるメタデータを生成するデバイスと
を備えるライトフィールド結像デバイス。
（付記８）
前記第１の光学系の瞳孔と、前記第１の光学系の前記物体空間における前記第１の光学系と関連付けられたセンサの少なくとも１つのピクセルの共役とを通過する１組の光線により占められる第１の光学系の物体空間におけるボリュームを表すデータのデータパッケージであって、前記ボリュームが、ピクセルビームと呼ばれる前記１組の光線により占められており、ピクセルビームを表す前記データが、第２の光学系を介して前記ピクセルビームの画像共役である、データパッケージ。
（付記９）
プログラム可能装置用のコンピュータプログラム製品であって、前記プログラム可能装置によってロードされ、実行された際に、付記１〜４のいずれか一項に記載の方法を実装する一連の命令を含む、コンピュータプログラム製品。